(57)【要約】【課題】開口部に発光部を嵌め込み且つ台座部を第１支持体及び第２支持体で挟み込む支持枠で複数の発光体を支持することで、発光体取付けの容易化及びスピードアップを実現し、発光体の支持強度を向上させる。【解決手段】ＬＥＤ素子２を載置した台座部３及びこの台座部３から突出状に形成されていてＬＥＤ素子２により発光する発光部４を有した発光体５と、この発光体５を複数支持する支持枠６とを備えているＬＥＤ支持機構１であって、支持枠６は、第１支持体７及び第２支持体８を有し、第１支持体７に発光部４が挿通する開口部９を設けていて、この開口部９に発光部４を嵌め込み且つ台座部３を両支持体７、８で挟み込んだ状態で、発光体５を支持している。【選択図】図１
2011108521.tif 000002
【特許請求の範囲】
【請求項１】
ＬＥＤ素子を載置した台座部及びこの台座部から突出状に形成されていて前記ＬＥＤ素子により発光する発光部を有した発光体と、この発光体を複数支持する支持枠とを備えているＬＥＤ支持機構であって、
前記支持枠は、第１支持体及び第２支持体を有し、前記第１支持体に発光部が挿通する開口部を設けていて、この開口部に前記発光部を嵌め込み且つ前記台座部を両支持体で挟み込んだ状態で、前記発光体を支持していることを特徴とするＬＥＤ支持機構。
【請求項２】
前記第１支持体又は前記第２支持体は、略矩形状で長尺の板体と、この板体の両長辺縁から他方の支持体側へそれぞれ延設した側壁片と、この側壁片の先端から板体の幅方向内側へそれぞれ延設した係止片とを有するとともに、前記他方の支持体は略矩形状で長尺の板体であって、
前記発光体を支持枠で支持した時に前記係止片を他方の支持体の両長辺縁に係止させて、前記台座部の表側を第１支持体の裏側に当接し、且つ前記台座部の裏側を第２支持体の表側に当接していることを特徴とする請求項１に記載のＬＥＤ支持機構。
【請求項３】
前記発光体は、前記台座部が略直方体状に形成され、前記発光部が略円柱状に形成され、前記台座部を、長手方向が両支持体の長手方向に略沿うように配置していることを特徴とする請求項２に記載のＬＥＤ支持機構。
【請求項４】
前記第２支持体が前記側壁片及び係止片を有していて、
前記係止片を発光部近傍まで延設し、且つ前記側壁片を台座部の側面に近接配置していることを特徴とする請求項３に記載のＬＥＤ支持機構。
【請求項５】
前記第１支持体の開口部は一定間隔ごとに設けられ、
前記両支持枠の長さを蛍光灯に対応する長さに設定していることを特徴とする請求項２〜４のいずれか１項に記載のＬＥＤ支持機構。
【請求項６】
前記第１支持体は、ネジ止め用の止め孔を一定間隔ごとに設け、
前記第２支持体は、前記発光体を支持枠で支持した時に前記止め孔と対向する位置に、前記止め孔より大径の挿通孔を設けていることを特徴とする請求項１〜５のいずれか１項に記載のＬＥＤ支持機構。
【請求項７】
発光面体と、この発光面体を前面側で支持する枠体と、この枠体の後面側に設けられ且つ前記発光面体を後方から照らす請求項１〜６のいずれか１項に記載のＬＥＤ支持機構とを有していることを特徴とする発光装置。
【発明の詳細な説明】
【技術分野】
【０００１】
本発明は、案内板、広告装置、非常口標識等の発光装置や、照明器具などのＬＥＤ支持機構に関するものである。
【背景技術】
【０００２】
従来、駅のホームや、地下鉄のホーム、地下街等の地下建築物などの側壁、天井には、広告装置、照明器具、案内板、ドアサイン等の発光面体を有する発光装置、又は照明器具が数多く取り付けられている。
特に、広告用ポスター等の広告物が貼り付けられた広告装置は、これら公共の場は人通りが多いこともあって、これら広告物による宣伝効果は非常に大きいものとなっている。
【０００３】
特許文献１には、ＬＥＤ素子により発光する発光体を支持するバックライト機構の技術が開示されている。
この技術は、台座部から突出状に形成された発光部を有した発光体と、この発光体を支持する長尺の支持板とを備えていて、この支持板には、発光部を裏面側から表面側に突出させることで発光体を支持する開口部が設けられている。
【０００４】
また、ＬＥＤ素子を用いて発光させるため、消費電力が小さく長寿命であり、発熱量を低く抑えることができる。
【先行技術文献】
【特許文献】
【０００５】
【特許文献１】特開２００９−２３８６８８号公報
【発明の概要】
【発明が解決しようとする課題】
【０００６】
しかしながら、特許文献１に記載されたバックライト機構は、各発光体を止め具によって支持板に固定する構成であり、数多くの発光体を支持する場合には、１つ１つの発光体に対して止め具を取り付ける時間と手間が必要である。
また、止め具は、略コ字状の条材であって、この条材の曲げ応力の耐性によって発光体の取付強度が決まってくる。
【０００７】
そこで、本発明は、上述した点を鑑み、開口部に発光部を嵌め込み且つ台座部を一対の支持体で挟み込む支持枠で複数の発光体を支持することで、発光体取付けの容易化及びスピードアップを実現し、発光体の支持強度を上げることができるＬＥＤ支持機構及びＬＥＤ支持機構を備えた発光装置を提供することを目的とする。
【課題を解決するための手段】
【０００８】
前記目的を達成するため、本発明は、以下の技術的手段を採用した。
本発明に係るＬＥＤ支持機構は、第１に、ＬＥＤ素子を載置した台座部及びこの台座部から突出状に形成されていて前記ＬＥＤ素子により発光する発光部を有した発光体と、この発光体を複数支持する支持枠とを備えているＬＥＤ支持機構であって、
前記支持枠は、第１支持体及び第２支持体を有し、前記第１支持体に発光部が挿通する開口部を設けていて、この開口部に前記発光部を嵌め込み且つ前記台座部を両支持体で挟み込んだ状態で、前記発光体を支持していることを特徴とする。
【０００９】
これにより、一対の支持体のうちの一方に設けた開口部に発光部を嵌め込みながら台座部を両支持体で挟み込んで複数の発光体を支持することで、発光体の取付け作業を容易にでき、取付スピードが上がって作業効率を向上させることが可能となると同時に、より強固に発光体を支持することができる。
第２に、前記第１支持体又は前記第２支持体は、略矩形状で長尺の板体と、この板体の両長辺縁から他方の支持体側へそれぞれ延設した側壁片と、この側壁片の先端から板体の幅方向内側へそれぞれ延設した係止片とを有するとともに、前記他方の支持体は略矩形状で長尺の板体であって、
前記発光体を支持枠で支持した時に前記係止片を他方の支持体の両長辺縁に係止させて、前記台座部の表側を第１支持体の裏側に当接し、且つ前記台座部の裏側を第２支持体の表側に当接していることを特徴とする。
【００１０】
これにより、発光体を支持枠で支持した時に係止片を他方の支持体の両長辺縁に係止して両支持体が台座部に上下から当接することで、止め具、接着テープなど別の部材を用いずとも、複数の発光体を一度に強固に保持することが可能となり、作業性を向上させることができる。
さらに、係止片と他方の支持体の両長辺縁との係止を解除するだけで、多くの発光体をスムースに取り外すことができ、着脱の容易化が図られる。
【００１１】
第３に、前記発光体は、前記台座部が略直方体状に形成され、前記発光部が略円柱状に形成され、前記台座部を、長手方向が両支持体の長手方向に略沿うように配置していることを特徴とする。
これにより、発光体を台座部の長手方向が両支持体の長手方向に略沿うように配置することで、ＬＥＤ支持機構を左右幅狭に構成でき、設置空間の省スペース化が図れる。
【００１２】
第４に、前記第２支持体が前記側壁片及び係止片を有していて、
前記係止片を発光部近傍まで延設し、且つ前記側壁片を台座部の側面に近接配置していることを特徴とする。
これにより、第２支持体に設けた係止片を発光部近傍まで延設することで、第１支持体の開口部に発光部を嵌脱する際に必要な空間を確保しながら、側壁片を台座部の側面に近接配置することが可能となり、ＬＥＤ支持機構の左右幅を可及的に狭くでき、設置空間のさらなる省スペース化が図れる。
【００１３】
第５に、前記第１支持体の開口部は一定間隔ごとに設けられ、
前記両支持枠の長さを蛍光灯に対応する長さに設定していることを特徴とする。
これにより、開口部を一定間隔ごとに設け且つ両支持枠の長さを蛍光灯に対応する長さにすることで、発光部からの光を一様に照射させて照明ムラを抑えると同時に、蛍光灯が使用されている既存の発光装置の枠体を流用可能となり、蛍光灯からの取り換え費用を安く抑えることができる。
【００１４】
第６に、前記第１支持体は、ネジ止め用の止め孔を一定間隔ごとに設け、
前記第２支持体は、前記発光体を支持枠で支持した時に前記止め孔と対向する位置に、前記止め孔より大径の挿通孔を設けていることを特徴とする。
これにより、両支持体にネジ止め用の止め孔及び挿通孔を一定間隔ごとに設けることで、他の部材を必要とせずに直接ＬＥＤ支持機構をネジで止めることができ、ネジ止め時に奥に隠れる挿通孔を止め孔よりも大径としたことで、ネジ先端を挿通孔に通しやすくなり、ＬＥＤ支持機構のネジ止めが容易になる。
【００１５】
また、本発明に係る発光装置は、発光面体と、この発光面体を前面側で支持する枠体と、この枠体の後面側に設けられ且つ前記発光面体を後方から照らす上述のＬＥＤ支持機構とを有していることを特徴とする。
【発明の効果】
【００１６】
本発明によると、第１支持体の開口部に発光部を嵌め込み且つ台座部を両支持体で挟み込む支持枠で複数の発光体を支持することで、発光体の取付け作業における容易化とスピードアップとを実現して、作業効率が向上されるとともに、発光体の支持強度を上げることができる。
【図面の簡単な説明】
【００１７】
【図１】第１実施形態に係るＬＥＤ支持機構の斜視図である。
【図２】ＬＥＤ支持機構の正面図である。
【図３】図２におけるＬＥＤ支持機構のＡ−Ａ線断面図である。
【図４】ＬＥＤ支持機構を備えた発光装置の斜視図である。
【図５】発光装置の側面図である。
【図６】発光装置の平面図である。
【図７】第２実施形態に係るＬＥＤ支持機構を備えた発光装置の平面図である。
【図８】図７におけるＬＥＤ支持機構のＢ−Ｂ線断面図である。
【発明を実施するための形態】
【００１８】
以下、本発明の実施形態を、図面に基づき説明する。
［第１実施形態］
図１〜３には、本発明の第１実施形態に係るＬＥＤ支持機構１が示されている。
このＬＥＤ支持機構１は、ＬＥＤ素子２を内蔵している発光体５と、この発光体５を複数支持する支持枠６とを備えている。
【００１９】
発光体５は、ＬＥＤ素子２を載置した台座部３と、この台座部３から突出状に形成されていてＬＥＤ素子２により発光する発光部４とを有している。
支持枠６は、長手方向を有した一対の支持体（第１支持体７、第２支持体８）を有し、これらの第１支持体７及び第２支持体８で発光体５を挟み込んで支持している。
なお、第１実施形態の説明においては、図２における上下方向、左右方向を、発光体５（台座部３）及び支持枠６（支持体７、８）の長手方向、幅方向と、図２における手前側、奥手側を、発光体５（台座部３）及び支持枠６（支持体７、８）の表側、裏側とする。
【００２０】
台座部３は、長手方向を有する略直方体状であり、平面視における台座部３の中心部にＬＥＤ素子２が載置されている。台座部３の側面には、ＬＥＤ素子２へ電流を供給する導線２２が接続されている（図１参照）。
図１、３に示したように、発光部４は、台座部３の上面（表側）から上方に突出し、略円柱状に形成されている。この発光部４は、上面が凹レンズ状にくぼんでおり、透過性を有した素材によって形成されている。凹レンズ状に形成されたことにより、発光部４の上面を均一に発光することができ、ＬＥＤ素子２から発せられた光に指向性を持たせることができる。
【００２１】
前記第１支持体７は、ステンレス鋼等の素材によって形成され且つ長手方向を有した略矩形の板体７ａと、この板体７ａに設けられた発光部４を挿通する開口部９を有している。第１支持体７の長手方向における長さは、市販の蛍光灯に対応する長さ（例えば、１２００ｍｍ。但し、この長さに限定されない）である。
前記開口部９は、板体７ａの裏面側から表面側に発光部４を挿通する略円形状の孔であり、板体７ａの長手方向に沿って一定間隔ごとに１列に配置されている（例えば、長手方向に沿って９個）。
【００２２】
図１、３（ａ）に示す如く、第２支持体８は、長尺で略矩形の板体８ａと、この板体８ａの幅方向両端（両長辺縁）８ｂ、８ｂから第１支持体７側へそれぞれ延設した側壁片１０と、この側壁片１０の上端（先端）から板体８ａの幅方向内側へそれぞれ延設した係止片１１とを有している。また、第２支持体８も同様に、ステンレス鋼等の素材であって、その長手方向における長さは、蛍光灯に対応する長さである。
【００２３】
側壁片１０は、板体７ａの両長辺縁７ｂ、７ｂから、板体７ａの表面側から裏面側に向かう方向に（つまり、対向する第２支持体８側に）それぞれ延設している。
係止片１１は、各側壁片１０の下端から板体７ａの幅方向の内側にそれぞれ延設している。この係止片１１の表側（第２支持体８側）は、前記開口部９に発光部４を嵌め込み且つ前記台座部３を両支持体７、８で挟み込んだ時（すなわち、前記発光体５を支持枠６で支持した時）に、第２支持体８の両長辺縁８ｂ、８ｂに係止させることが可能となっている。
【００２４】
なお、係止片１１を前記発光部４近傍まで延接すると同時に、側壁片１０が前記発光体５を支持枠６で支持した時に前記台座部３の近傍に位置するように、第２支持体８の左右幅を設定してもよい。
これによって、第１支持体７から発光体５を嵌脱する際に必要な空間を確保しながら、側壁片１０を台座部３の側面（幅方向両端の側面）３ａに近接配置することが可能となり、ＬＥＤ支持機構１の左右幅を可及的に狭くでき、ＬＥＤ支持機構１の設置空間の省スペース化が図れる。
【００２５】
また、両支持体７、８には、ＬＥＤ支持機構１を発光装置２１の後面や壁面（図示省略）にネジで取り付けるための孔が設けられている。
板体７ａに設けられたネジを止めるための止め孔１２は、ネジ頭よりも小径に形成されていて、板体７ａの長手方向に沿い且つ前記開口部９の間で一定間隔ごとに１列に設けられている。
【００２６】
板体８ａに設けられたネジを挿通させるための挿通孔１３は、前記止め孔１２よりも大径に形成され、前記発光体５を支持枠６で支持した時に止め孔１２と対向する位置に設けられている。
したがって、ＬＥＤ支持機構１を直接ネジで止めることができると同時に、ネジ止め時には奥に隠れて挿通孔１３が視認できないものの、止め孔１２よりも大径としたことで、ネジ先端を挿通孔１３に通しやすくなっている。これによって、ＬＥＤ支持機構１取り付け時の作業者の負担が軽減される。
【００２７】
図４〜６には、本発明の第１実施形態に係るＬＥＤ支持機構１を備えた発光装置２１が示されている。
発光装置２１は、発光面体１４と、この発光面体１４が嵌め込まれる枠体１５と、この枠体１５の後面側に設けられたＬＥＤ支持機構１とを備えている。
なお、第１実施形態の説明においては、図４における手前側、奥手側を枠体１５の前面側、後面側とする。
【００２８】
発光装置２１の発光面体１４は、透過性のある貼り紙、貼り札等の広告物、及び案内表示等を貼り付けるための面体であって、発光面体１４自体も透過性を有している。
枠体１５は、鋼材、樹脂等によって形成され、その前面側に発光面体１４が着脱自在に嵌め込まれる。また、枠体１５は、建築物の側壁、天井、床面及び角柱等の壁面に対して、ネジ止め、接着などによって取り付けられる。さらに、枠体１５は、前面側のみが開口し、側面部材及び後面部材で構成されている。
【００２９】
枠体１５内部には、ＬＥＤ電源２３が設けられている。
続いて、本発明の第１実施形態の使用態様を説明する。
第１実施形態に係るＬＥＤ支持機構１を発光装置２１の後面や壁面等に取り付ける場合、はじめに複数の発光体５及び導線２２等を配設した支持枠６を、取り付けようとする発光装置２１の形状、大きさ、又は壁面の広さ、形状にあわせて作成する。
【００３０】
作成した支持枠６の第１支持体７の開口部９に、発光体５の発光部４を嵌め込む。この状態で、第２支持体８の一端側から第１支持体７を滑り込ませる。
つまり、第１支持体７における板体７ａは、両長辺縁７ｂ、７ｂの表側が第２支持体８の係止片１１の裏側に当接した状態で、第２支持体８の内部へ押し込まれることとなる。
これにより、第２支持体８の係止片１１が第１支持体７の両長辺縁７ｂ、７ｂに係止して、台座部３の表側が第１支持体７の裏側に当接し、且つ台座部３の裏側が第２支持体８の表側に当接することとなる。
【００３１】
この当接状態によって、複数の発光体５が支持枠６によって一度に強固に保持される。
なお、各台座部３に接続されている導線２２は、両支持体７、８の端部間からＬＥＤ電源２３までのばすことができる。
このように作成した複数のＬＥＤ支持機構１を、長手方向が同一方向に略向くように、発光装置２１や壁面にビス止めによって取り付ける。
【００３２】
この時、各発光体５における縦横の間隔がそろうように、各ＬＥＤ支持機構１を所定間隔ごとに並べる。
発光装置２１の場合には、広告物、案内表示等を貼り付けた発光面体１４を、枠体１５にビス止め等（図示せず）によって取り付ける。また、壁面に取り付けた場合には、ＬＥＤ支持機構１をカバー（図示せず）によって覆う。
【００３３】
そして、支持枠６から外へ出しておいた導線２２とＬＥＤ電源２３とを接続し、ＬＥＤ支持機構１の取り付けが完了する。
最後に、ＬＥＤ支持機構１の各ＬＥＤ素子２に電流を供給し、発光面体１４やカバーを照らすこととなる。特に、発光装置２１においては、広告物、案内表示等を浮かび上がらせ人目を引くため、大きな宣伝効果を得ることが可能となる。
【００３４】
なお、本発明においては、市販の蛍光灯の長さに制限されることなく、ＬＥＤ支持機構１の支持枠６の長さ・幅等、及び開口部９の数を自由に変更できる。
一方、支持枠６を市販の蛍光灯と略同一の長さとした場合には、蛍光灯を使用していた従来の発光装置２１や照明手段等に対しても、交換するためのコスト及び手間をかけることなく本発明に係るＬＥＤ支持機構１に取り替えることができる。
【００３５】
また、光源としてＬＥＤ素子２を用いることで、消費電力及び発熱量を抑え、点灯寿命を延ばすことが可能となる。
さらに、発光体５及び導線２２等も含め支持枠６ごとにユニット化しており、故障した際にも、そのユニットだけの修理、取り替えが容易にできる等のメリットもある。
［第２実施形態］
続いて、本発明の第２実施形態を説明する。
【００３６】
図７、８（ａ）には、本発明の第２実施形態に係るＬＥＤ支持機構１及びこれを備えた発光装置２１が示されている。
第２実施形態に係るＬＥＤ支持機構１が第１実施形態と最も異なるところは、支持枠６の左右幅を広くし、ＬＥＤ支持機構１を発光装置２１の後方や壁面に敷き詰められるようにした点にある。
【００３７】
さらに、この発光装置２１は、ＬＥＤ支持機構１を敷き詰めた際に、各発光体５同士の縦横間の距離が略同一になるように、左右幅と、開口部９の間隔が設定されている。
他の点については、第２実施形態は第１実施形態と同じ構成である。
なお、本発明は、上述した実施形態に限定されるものではない。
発光部４及び開口部９は、平面視において正方形又は六角形等であってもよい。
【００３８】
図３（ｂ）、８（ｂ）に示したように、支持枠６は、第１支持体７側に側壁片１０及び係止片１１を設けてもよい。
また、支持枠６を左右幅広に設けた場合、開口部９を長手方向に沿って２列以上設けることとしてもよい。
開口部９は、互いに一定間隔ごとであれば格子状や千鳥状等に設けられていてもよい。
【符号の説明】
【００３９】
１      ＬＥＤ支持機構
２      ＬＥＤ素子
３      台座部
３ａ    台座部の側面
４      発光部
５      発光体
６      支持枠
７      第１支持体
７ａ    板体
７ｂ    板体の長辺縁
８      第２支持体
８ａ    板体
８ｂ    板体の長辺縁
９      開口部
１０    側壁片
１１    係止片
１２    止め孔
１３    挿通孔
１４    発光面体
１５    枠体
【図１】
2011108521.tif 000003
【図２】
2011108521.tif 000004
【図３】
2011108521.tif 000005
【図４】
2011108521.tif 000006
【図５】
2011108521.tif 000007
【図６】
2011108521.tif 000008
【図７】
2011108521.tif 000009
【図８】
2011108521.tif 000010